(57)【特許請求の範囲】
【請求項１】
番組に使用する静止画データを、放送局内に複数設置された番組送出ユニットへ配信する静止画配信システムであって、
前記静止画データをＨＤＴＶ方式のビデオエリア用信号とし、かつ前記静止画データの配信先を示した識別情報をＨＤＴＶ方式における補助データエリア用の補助ビットとして多重する送信装置と、
送られた前記ＨＤＴＶ方式の信号から前記識別情報を抽出し、該識別情報を解析して前記静止画データを配信すべき番組送出ユニットへ振り分ける受信装置とを備え、
前記送信装置と前記受信装置を前記ＨＤＴＶ方式に対応したシリアルデジタルインターフェースのみで接続して構成することを特徴とする静止画配信システム。
【請求項２】
前記識別情報は、
配信すべき送出系統の選択情報と、
本線画像若しくはＫＥＹ画像の種別、
現在の放送に使用している画像若しくは次の放送に使用する画像の種別を
有することを特徴とする請求項１に記載の静止画配信システム。
【発明の詳細な説明】
【０００１】
【発明の属する技術分野】
本発明は放送局のスタジオ内で番組送出に使用する静止画データを、ＳＭＰＴＥ２９２Ｍで規定されているＨＤＴＶ（High Definition Television）方式に対応したＳＤＩ（Serial Digital Interface）の補助データを利用して、複数の送出ユニットへ自動配信する静止画配信システムに関する。
【０００２】
【従来の技術】
従来から、放送されるニュース等の番組には、背景となる本線画像と合成用の文字や図形等のＫＥＹ画像が使用され、近年のディジタル技術の発展に伴って、これらの素材用画像データは、静止画ファイル装置やサーバー等に搭載されているハードディスク装置に記憶することで一元的に管理されている。このようにして管理・蓄積保存されている素材用画像データは、例えばＡＴＭ（Asynchronous Transfer Mode）等のデータ配信用回線とＲＳ−４２２等の制御電文の送受信を行う制御用回線を別々に用意して、放送局内に複数設置された番組送出ユニットへ接続されている。実際に番組送出ユニットへ静止画データを配信する場合、上記制御用回線を通じて、静止画ファイル装置側からデータ送信要求信号が番組送出ユニットへ送られ、当該送出ユニット側で受信の準備が整えば、ＲＥＡＤＹ信号等のステータス信号を返し、静止画データの配信が開始される。このように静止画を配信する場合には、制御用回線を通じて送られる制御電文とデータ配信用回線を通じて送られる静止画データは、常に同期させて送らなければならない。
【０００３】
【発明が解決しようとする課題】
しかし、上記で説明したように、１つの素材用静止画データを配信させるのに静止画の送信要求やそれに対するステータス信号のやりとりが毎回必要となると、一回当たりの静止画データの配信に時間がかかるため、番組送出ユニットが複数設置されている放送局内のスタジオでは、その所要時間もさらに増大してシステムの運用上重要な問題となっていた。
【０００４】
また、設計段階においても制御電文とこれに対応して配信する静止画データとのタイミングの調整にも気を使わなければならず、設計者の負担にもなるという問題があった。
【０００５】
そこで、本発明は上記課題に鑑みてなされたものであり、その目的は逐次制御電文のやりとりを行うことなく、受信側である番組送出ユニット側で自動的に静止画像を選択できる静止画配信システムの提供を目的とする。
【０００６】
【課題を解決するための手段】
上記目的を達成するため、請求項１の発明に係る静止画配信システムは、番組に使用する静止画データを、放送局内に複数設置された番組送出ユニットへ配信する静止画配信システムであって、前記静止画データをＨＤＴＶ方式のビデオエリア用信号とし、かつ前記静止画データの配信先を示した識別情報をＨＤＴＶ方式における補助データエリア用の補助ビットとして多重する送信装置と、送られた前記ＨＤＴＶ方式の信号から前記識別情報を抽出し、該識別情報を解析して前記静止画データを配信すべき番組送出ユニットへ振り分ける受信装置とを備え、前記送信装置と前記受信装置を前記ＨＤＴＶ方式に対応したシリアルデジタルインターフェースのみで接続して構成することを特徴とする。
【０００７】
また、請求項２の発明に係る静止画配信システムは、請求項１に記載の前記識別情報は、配信すべき送出系統の選択情報と、本線画像若しくはＫＥＹ画像の種別、現在の放送に使用している画像若しくは次の放送に使用する画像の種別を有することを特徴とする。
【００１６】
【発明の実施の形態】
図１は、本願発明に係る静止画配信システムにおける送出装置の構成例を示したブロック図である。その構成は、大きく分けて（ａ）静止画の読み出しに係る部分と、（ｂ）多重データ読み出しに係る部分と、（ｃ）静止画と多重データの多重送信に係る部分から成っている。以下、構成毎に説明する。
【００１７】
（ａ）静止画の読み出しに係る部分は、圧縮された素材用静止画データを蓄積保存するハードディスク１３と、ここから読み出した圧縮データを汎用のＪＰＥＧの静止画データに伸長変換する複数のＪＰＥＧ伸長器、すなわち、ＪＰＥＧ伸長器Ａ（１１ａ）、ＪＰＥＧ伸長器Ｂ（１１ｂ）、ＪＰＥＧ伸長器Ｂ（１１ｃ）、ＪＰＥＧ伸長器Ｄ（１１ｄ）と、前記伸長された各ＪＰＥＧ静止画データを１フレーム毎に一時記憶保持しておく複数のフレームメモリ（すなわち、フレームメモリＡ（１２ａ）、フレームメモリＢ（１２ｂ）、フレームメモリＣ（１２ｃ）、フレームメモリＤ（１２ｄ））から成っている。
【００１８】
（ｂ）多重データ読み出しに係る部分は、多重データの作成を行う多重データ発生手段（ＣＰＵ１４）と、作成された多重データを一時記憶保持する複数の多重データレジスタ（すなわち、多重データレジスタＡ（１５ａ）、多重データレジスタＢ（１５ｂ）、多重データレジスタＣ（１５ｃ）、多重データレジスタＤ（１５ｄ））から成っている。
【００１９】
（ｃ）静止画と多重データの多重送信に係る部分は、前記複数のフレームメモリからの静止画データを択一的に選択する信号切り替え器Ａ（１６ａ）と、前記複数の多重データレジスタからの多重データを択一的に選択する信号切り替え器Ｂ（１６ｂ）と、外部からのＶＳＹＮＣ（垂直同期信号）により、信号切り替え器Ａ（１６ａ）と信号切り替え器Ｂ（１６ｂ）との切り替えタイミングを調整し出力するタイミング発生部１７と、信号切り替え器Ａ（１６ａ）と信号切り替え器Ｂ（１６ｂ）から出力された信号を相互に所定の位置へ多重させる多重化部１８と、多重化された当該信号をシリアル信号として変換し送信するシリアル信号変換部１９から成っている。以上が送信装置の構成である。
【００２０】
次に、送信装置の動作について説明する。まず、スタジオ内のオペレータから番組送出に使用する素材用静止画の送出を要求する信号がＣＰＵ１４に入力される。これにより、ＣＰＵ１４からハードディスク１３に対して、該当する静止画データの読み出しを行う旨の制御信号が送られ、該当する静止画データはハードディスク１３から複数あるうちのいずれかのＪＰＥＧ伸長器、例えばＪＰＥＧ伸長器Ａ（１１ａ）へ送られる。静止画には、ニュース番組等の背景となる本線画像と合成用の文字や図形等のＫＥＹ画像とあり、共にＪＰＥＧベースラインに準拠したもので、その圧縮率は約１／５程度である。ここで伸張された静止画データはフレームメモリＡ（１２ａ）にフレーム単位で一時的に記憶保持される。他の静止画データについても、上記説明と同様の手順を経て、他のＪＰＥＧ伸長器（ＪＰＥＧ伸長器Ｂ（１１ｂ）、ＪＰＥＧ伸長器Ｂ（１１ｃ）、ＪＰＥＧ伸長器Ｄ（１１ｄ））でデータ伸長され、他のフレームメモリ（フレームメモリＢ（１２ｂ）、フレームメモリＣ（１２ｃ）、フレームメモリＤ（１２ｄ））に一時的に記憶保持される。
【００２１】
ＣＰＵ１４は多重データ発生手段としても機能するため、上記静止画に対応する配信先の情報も同時にここへ入力される。ここで受信側たる特定の送出ユニットへ配信するための識別情報が所定のフォーマットに従って多重データとして作成される。識別情報の具体的構成については図４の説明で後述する。作成された多重データは、複数あるうちのいずれかの多重データレジスタ、例えば多重データレジスタＡ（１５ａ）へ送られ、ここで記憶保持される。他の多重データレジスタ（多重データレジスタＢ（15ｂ）、多重データレジスタＣ（１５ｃ）、多重データレジスタＤ（15ｄ））についても上記と同様の手順を経て別々の多重データが作成されて記憶保持される。
【００２２】
こうして、各フレームメモリに記憶された静止画データと各多重データレジスタに記憶された多重データは、信号切り替え器Ａ（１６ａ）と信号切り替え器Ｂ（16ｂ）によって、それぞれ択一的に選択切り替えられる。これらの切り替え動作は、非同期で行われるものではなく、静止画データが途中で途切れないように外部からのＶＳＹＮＣ（垂直同期信号）をもとにタイミング発生部１７から出力された所定の切り替え制御信号に従って調整される。
【００２３】
このように複数の番組送出ユニットへ配信するための静止画と多重データをそれぞれ複数のフレームメモリと複数の多重データレジスタに記憶保持させておくことにより、配信すべき静止画を前もって準備しておくことができる。これにより、番組の進行における静止画の急な差し替えにも十分に対応し、より迅速に静止画を配信することができる。なお、本実施の形態では複数のフレームメモリと多重データレジスタから成る送信装置の構成を例に説明したが、単一のフレームメモリと多重データレジスタによる簡易的な構成であってもよい。
【００２４】
多重化部18には、信号切り替え器Ａ（１６ａ）から出力された静止画データと信号切り替え器Ｂ（16ｂ）から出力された識別情報からなる多重データが入力される。ここで、図３に示したＳＭＰＴＥ２９２Ｍで規定されているＨＤＴＶ方式に対応した所定のフォーマットに従って多重される。具体的な多重位置については図３の説明で後述する。こうして多重化部１８からは、８〜１０ビット幅のパラレルデータが出力され、シリアル信号変換部１９でシリアル信号に変換された後、ＳＭＰＴＥ２９２Ｍ規格、ＢＴＡ Ｓ−００４規格に示されている通り、輝度信号と色差信号を１ワード毎に伝送速度１．４８５又は１．４８５／１．００１ＧｂｐｓのクロックによるＨＤ−ＳＤＩとして伝送される。
【００２５】
図３は、例えばＳＭＰＴＥ２９２Ｍで規定されているＨＤＴＶ方式のフォーマットを使用した場合の補助データの多重位置について示したものである。ＳＭＰＴＥ２９２Ｍ規格のＨＤＴＶ方式は、走査線１１２５本（有効走査線数１０８０本）、１走査線当たりのサンプル数（ワード）は２２００、１走査線当たりの有効サンプル数（ワード数）は１９２０、１サンプル（ワード）当たりの周波数７４．２５／１．００１ＭＨｚで、輝度信号と色差信号とで構成されている。静止画データは上記における有効サンプルのうち、Video Dataの位置へ挿入される。また、識別情報からなる多重データは有効サンプルのうち、V ANC Areaにおける７ライン目の４画素目（３１）と５画素目（３２）、５６９ライン目の４画素目（３３）と５画素目（３４）の合計４つのポジションにそれぞれ８ビットの補助ビットデータとして挿入される。
【００２６】
図２は、本願発明に係る静止画配信システムにおける番組送出ユニット内の受信装置の構成例を示したブロック図である。その構成は、大きく分けて（ａ）多重信号の受信と分離に係る部分と、（ｂ）静止画データの振り分けにかかる部分から成っている。以下、構成毎に説明する。
【００２７】
（ａ）多重信号の受信と分離に係る部分は、多重化されたシリアル信号を受信してパラレル信号として変換するパラレル信号変換部２１と、所定の多重データと静止画データに分ける分離器２２と、分離された多重データを一時的に記憶保持する多重データレジスタ２３から構成されている。
【００２８】
（ｂ）静止画データの振り分けに係る部分は、送出１系に係る静止画データの振り分けを行う信号切り替え器Ａ２５ａと、送出２系に係る静止画データの振り分けを行う信号切り替え器Ｂ２５ｂと、多重データに示された識別情報をもとに前記各信号切り替え器の制御を行う自動配信制御手段（ＣＰＵ２４）と、送出１系に係る複数のフレームメモリ（フレームメモリ１（２６ａ）、フレームメモリ２（２６ｂ）、フレームメモリ３（２６ｃ）、フレームメモリ４（２６ｄ））と、送出２系に係る複数のフレームメモリ（フレームメモリ１（２７ａ）、フレームメモリ２（２７ｂ）、フレームメモリ３（２７ｃ）、フレームメモリ４（２７ｄ））から構成されている。
【００２９】
次に受信装置の動作について説明する。まず、パラレル信号変換部２１に、ＨＤ−ＳＤＩによるシリアル信号が入力され、８〜１０ビット幅のパラレルデータが出力される。その後、分離器２２へ送られて、図３で既に説明したV ANC Areaにおける７ライン目の４画素目（３１）と５画素目（３２）、５６９ライン目の４画素目（３３）と５画素目（３４）の合計４つのポジションに挿入されている８ビットの補助ビットデータが抽出される。抽出された当該補助ビットデータは、多重データレジスタ２３へ入力されて記憶保持される。ここに記憶された補助ビットデータから、各識別情報が自動配信制御手段（ＣＰＵ２４）によって解析され、信号切り替え器Ａ（２５ａ）と信号切り替え器Ｂ（２５ｂ）を制御する。一方、解析された識別情報に対応した静止画データは、信号切り替え器Ａ（２５ａ）と信号切り替え器Ｂ（２５ｂ）に並行して入力され、自動配信制御手段（ＣＰＵ２４）によっていずれか一つのフレームメモリへ送られるようになっている。なお。各フレームメモリは高速スクロールにも対応できるように、それぞれ５フレームを記憶保持できるようになっている。以下、図４に示した補助ビットデータの構成と併せて、各フレームメモリの特定方法について説明する。
【００３０】
図４は補助ビットデータの構成を示したものである。このうち、図４（ａ）は図３に示したＳＭＰＴＥ２９２Ｍで規定されているＨＤＴＶ方式のフォーマット上において、７ライン目の４画素目（３１）と５６９ライン目の４画素目（３３）に多重される補助ビットデータの構成を示したものである。Ｄ７〜Ｄ５は送出ユニット番号を示したものである。これにより最大で８台の送出ユニットの特定が可能である。Ｄ４は送出１系と送出２系の選択をするもので、０の時は送出１系が選択され、1の時は送出２系が選択される。このＤ４によって、送出１系が選択された場合には信号切り替え器Ａ（２５ａ）がアクティブ状態になり、送出２系が選択された場合には信号切り替え器Ｂ（２５ｂ）がアクティブ状態になる。Ｄ３は本線画像とＫＥＹ画像の選択をするもので、０の時は本線画像が選択され、1の時はＫＥＹ画像が選択される。Ｄ２〜Ｄ０はフレームメモリクラスを示したものである。これにより送出ユニット側が本体に要求した画像であるかどうかの判断がなされる。要求時に通知した番号と同一の時は要求した画像、そうでない時は要求していない画像として判断される。例えば、現在の放送に使用している画像であるＬＩＮＥは０００で要求し、次の放送に使用する画像であるＮＥＸＴは００１で要求する。静止画ファイル装置本体は読み出せた画像から順番にメモリクラスを付けて送信するので、これらのＤ３〜Ｄ０によって本線画像かＫＥＹ画像かの判断と、ＬＩＮＥかＮＥＸＴかの判断がなされる。
【００３１】
例えば、送出１系であってＬＩＮＥの本線画像である場合にはフレームメモリ１（２６ａ）へ静止画データが送られる。送出１系であってＮＥＸＴの本線画像である場合にはフレームメモリ２（２６ｂ）へ静止画データが送られる。送出１系であってＬＩＮＥのＫＥＹ画像である場合にはフレームメモリ３（２６ｃ）へ静止画データが送られる。送出１系であってＮＥＸＴのＫＥＹ画像である場合にはフレームメモリ４（２６ｄ）へ静止画データが送られる。送出２系についても同様にして、各フレームメモリ（フレームメモリ１（２７ａ）、フレームメモリ２（２７ｂ）フレームメモリ３（２７ｃ）、フレームメモリ４（２７ｄ））へ静止画データが送られる。
【００３２】
また、図４（ｂ）は７ライン目の５画素目（３２）と５６９ライン目の５画素目（３４）に多重される補助ビットデータの構成を示したものである。Ｄ７は補助ビットデータ全体に対するＯＤＤのパリティである。Ｄ３はファイル装置のステータスである。０の時は正常、１の時はエラー（例えばJPEG伸長エラーが発生した）を示す。この場合は画像に信頼性がないことを意味する。Ｄ０はフレームメモリへの書き込みの可否を選択するもので、０の時は書き込みが許可され、1の時は書き込みが禁止されるようになっている。Ｄ６、Ｄ５、Ｄ４、Ｄ２、Ｄ１は使用しないためマスクされている。このように静止画データの信頼性に関するデータも付加することによって、番組の進行中における不完全な静止画の誤放映を極力回避することができる。
【００３３】
【発明の効果】
以上説明したように、本願発明によれば各静止画データを逐次制御電文のやりとりを行うことなく、送出ユニットへの配信を非同期で迅速、且つ確実に行うことができる。これにより、システムの円滑な運用を図ることができる。
【００３４】
また、制御用回線を別途用意する必要がないため、システム全体を簡易に構成することができる。
【００３５】
さらに、番組送出ユニットを含む番組送出系を将来増設する場合であっても、送信する際に多重する補助データである識別情報の変更により、容易にシステムの拡張に対応することができる。
【００３６】
【図面の簡単な説明】
【図１】本願発明に係る静止画配信システムにおける送信装置の構成例を示したブロック図である。
【図２】本願発明に係る静止画配信システムにおける番組送出ユニット内の受信装置の構成例を示したブロック図である。
【図３】補助データの多重位置の説明図である。
【図４】補助ビットデータの構成の説明図である。
【符号の説明】
１１ａ    ＪＰＥＧ伸長器Ａ
１２ａ    フレームメモリＡ
１３      ハードディスク
１４      ＣＰＵ
１５ａ    多重データレジスタＡ
１６ａ    信号切り替え器Ａ
１７      タイミング発生部
１８      多重化部
１９      シリアル信号変換部
２１      パラレル信号変換部
２２      分離器
２３      多重データレジスタ
２４      ＣＰＵ
２５ａ    信号切り替え器Ａ
２６ａ    フレームメモリＡ
【図１】
0004020647.tif 000002
【図２】
0004020647.tif 000003
【図３】
0004020647.tif 000004
【図４】
0004020647.tif 000005